(57)【要約】【課題】かご内の画像データを外部で容易に得られ確認できるエレベーター用防犯ビデオカメラ画像配信装置を提供する。【解決手段】ビデオカメラ５で撮影されるエレベーターかご内部の画像の画像データを狭域無線通信Ｔで送信するかご上に設置された送信器６２と、この送信器６２と狭域無線通信を行える位置に設置され上記送信器６２との間で狭域無線通信を行う受信器７１と、この受信器７１で受信された画像データを更新しながら格納、保持するバッファ７３と、を備えた。【選択図】図２
2005053626.tif 000002
【特許請求の範囲】
【請求項１】
ビデオカメラで撮影されるエレベーターかご内部の画像の画像データを狭域無線通信で送信するかご上に設置された送信器と、
この送信器と狭域無線通信を行える位置に設置され上記送信器との間で狭域無線通信を行う受信器と、
この受信器で受信された画像データを更新しながら格納、保持するバッファと、
を備えたことを特徴とするエレベーター用防犯ビデオカメラ画像配信装置。
【請求項２】
周期的に所定期間の間だけ上記狭域無線通信を行うように上記送信器および受信器のいずれか一方に通信制御信号が入力されることを特徴とする請求項１に記載のエレベーター用防犯ビデオカメラ画像配信装置。
【請求項３】
エレベーターかごの扉の開閉を示す戸開閉信号を上記通信制御信号とし、エレベーターかごの扉の戸閉毎の戸閉直後の所定期間だけ上記狭域無線通信を行うように上記送信器または受信器が制御されることを特徴とする請求項２に記載のエレベーター用防犯ビデオカメラ画像配信装置。
【請求項４】
上記送信器または受信器がタイマーを備え、このタイマーの出力を上記通信制御信号とし、所定周期毎に所定期間だけ上記狭域無線通信を行うように上記送信器または受信器が制御されることを特徴とする請求項２に記載のエレベーター用防犯ビデオカメラ画像配信装置。
【請求項５】
上記通信制御信号を上記送信器に入力して周期的に所定期間の間だけ上記送信器が送信を行うようにしたことを特徴とする請求項２ないし４のいずれか１項に記載のエレベーター用防犯ビデオカメラ画像配信装置。
【請求項６】
上記バッファが静止画像または極めて短い動画像の画像データを更新しながら格納、保持することを特徴とする請求項１ないし５のいずれか１項に記載のエレベーター用防犯ビデオカメラ画像配信装置。
【請求項７】
上記ビデオカメラの出力がアナログの画像データであり、上記受信器とバッファとの間に上記受信器で受信された画像データのアナログ／ディジタル変換を行うＡ／Ｄ変換器を備えたことを特徴とする請求項１ないし６のいずれか１項に記載のエレベーター用防犯ビデオカメラ画像配信装置。
【請求項８】
上記バッファが、これに保持されている画像データを配信要求に従って配信するサーバー機能を含むネットワークに接続されたサーバー機能付画像バッファからなることを特徴とする請求項１ないし７のいずれか１項に記載のエレベーター用防犯ビデオカメラ画像配信装置。
【請求項９】
上記バッファが、これに保持されている画像データを配信要求に従って配信するＷＷＷサーバー機能を含むインターネットに接続されたＷＷＷサーバー機能付画像バッファからなることを特徴とする請求項１ないし７のいずれか１項に記載のエレベーター用防犯ビデオカメラ画像配信装置。
【発明の詳細な説明】
【技術分野】
【０００１】
この発明はエレベーター用防犯ビデオカメラ画像配信装置、特に画像データの外部への配信に関する。
【背景技術】
【０００２】
従来、犯罪抑止のためにエレベーターかごにビデオカメラを取り付けて、かご内を撮影した画像を記録するシステムを備えたものがある(例えば特許文献１参照)。
【０００３】
【特許文献１】特開平７−２０６３０２号公報
【発明の開示】
【発明が解決しようとする課題】
【０００４】
このようなエレベーターかご内の画像は記録蓄積される。また、かご内の様子を外部から確認するためには、ビデオカメラからの画像データの記録蓄積装置へいくものを分配し、これをモニタに接続する必要があり、専用のモニタ以外では容易にはできなかった。
【０００５】
この発明は上記の課題を解消するためになされたもので、かご内の画像データを外部で容易に得られ確認できるエレベーター用防犯ビデオカメラ画像配信装置を提供することを目的とする。
【課題を解決するための手段】
【０００６】
この発明は、ビデオカメラで撮影されるエレベーターかご内部の画像の画像データを狭域無線通信で送信するかご上に設置された送信器と、この送信器と狭域無線通信を行える位置に設置され上記送信器との間で狭域無線通信を行う受信器と、この受信器で受信された画像データを更新しながら格納、保持するバッファと、を備えたことを特徴とするエレベーター用防犯ビデオカメラ画像配信装置にある。
【発明の効果】
【０００７】
この発明では、エレベーターかご上でビデオカメラによって撮影されるエレベーターかご内部の画像の画像データを狭域無線通信で例えば機械室等にある受信器に送信し、これをバッファに更新しながら格納、保持することにより、かご内の画像データを外部で容易に得られ、またこれを配信することもできる。
【発明を実施するための最良の形態】
【０００８】
実施の形態１．
図１はこの発明の一実施の形態によるエレベーター用防犯ビデオカメラ画像配信装置の構成を示した図である。エレベーターかご１内の様子はビデオカメラ５により撮影され、撮影された画像のアナログ画像データはかご上画像送信装置６に送られる。このかご上画像送信装置６は、例えばモーター３を駆動して扉２の開閉制御を行う扉制御部４から扉２の開閉タイミングを示す扉開閉信号を通信制御信号Ｓとして受け、このタイミングに従って画像データを画像蓄積配信装置７へ狭域無線通信(ＵＨＦ、ＶＨＦ等)で送る。画像蓄積配信装置７はかご上画像送信装置６と狭域無線通信が行える場所であればどこでもよいが、例えばここではエレベーターの機械室(図示せず)に設けられているものとする。そしてこの画像蓄積配信装置７はＬＡＮ等のネットワークに接続されている。
【０００９】
図２には、かご上画像送信装置６および画像蓄積配信装置７の内部構成とこれにつながるネットワーク等との関係を示した。図２において波線Ｘの左側がこのエレベーター用防犯ビデオカメラ画像配信装置が配置されたエレベーターがあるビル内を示し、右側がビルの外部を示す。かご上画像送信装置６は、Ａ／Ｄ変換器６１ａとハードディスクメモリ６１ｂを含みビデオカメラ５からの画像データをアナログ／ディジタル変換して連続的に蓄積するＨＤＤレコーダー６１、および扉開閉信号Ｓのタイミングに従って分配されたアナログ画像データをアンテナ６２ａから狭域無線通信Ｔで送る送信器６２を備える。送信器６２は扉開閉信号Ｓのタイミングに従ってエレベーターの繰り返し動作の中の特定期間毎の画像(静止画像または極めて短い動画像)を送信する。すなわち、例えば後述する扉２の戸閉完了直後の所定期間の画像データを送信する。なお、ＨＤＤレコーダー６１はこの発明にはなくてもよい。
【００１０】
画像蓄積配信装置７は、送信器６２と狭域無線通信Ｔを行い送信器６２から送られてきた画像データをアンテナ７１ａで受ける受信器７１、受信器７１で受信されたアナログ画像データをディジタル信号に変換するＡ／Ｄ変換器７２、およびＡ／Ｄ変換器７２からの画像データを常に更新しながら一時的に格納、保持する例えばＷＷＷサーバー機能付画像バッファ７３を備える。ＷＷＷサーバー機能付画像バッファ７３は、例えばＰＣ１０３や、携帯電話、無線ＬＡＮ等のためのアクセスポイント１０５が接続されるこのビル内のＬＡＮ１０１、そしてさらにルーター１０７を介してインターネット１０９に接続される。そして、ＬＡＮ１０１に接続されたＰＣ１０３やアクセスポイント１０５、インターネット１０９に接続されたＰＣ１１１やアクセスポイント１１３からの配信要求に応答して画像を配信する。なお、ＷＷＷサーバー機能付画像バッファ６３はＬＡＮ１０１を介さずにインターネット１０９に接続されていてもよい。なお、かご上画像送信装置６および画像蓄積配信装置７の波線で示す部分については後述する。
【００１１】
図３には図２のＷＷＷサーバー機能付画像バッファ７３の機能構成図を示す。ＷＷＷサーバー機能付画像バッファ７３は、静止画像または極めて短い動画像を更新しながら一時的に格納、保持するバッファで構成されるバッファ機能７３ａ、ＩＰアドレス７３ｂａやＵＲＬ設定７３ｂｂを含むＷＷＷサーバー機能７３ｂを備える。また必要に応じてＩＤ番号等によるセキュリティ機能７３ｃを備える。なお、極めて短い動画像とは、ＷＷＷサーバー機能付画像バッファ６３が、多数の配信要求があっても配信速度が低下したり画像の鮮明度に問題が生じないように配信処理可能な容量の動画像のことである。
【００１２】
この発明では、かご上画像送信装置６の送信器６２からエレベーターの機械室等に設けられた画像蓄積配信装置７の受信器７１へ狭域無線通信Ｔにより画像データを送信することにより、かご内の画像データを外部で容易に得られ確認できる。特に、ビデオカメラ５からの連続した動画像のうちのエレベーターの扉の開閉等の繰り返し動作の中の特定期間毎の静止画像または極めて短い動画像を狭域無線通信Ｔにより画像蓄積配信装置７側に送り、これを常に更新しながら一時的にＷＷＷサーバー機能付画像バッファ７３に保持しておき、ＬＡＮ１０１やインターネット１０９を介して配信要求があった時にその時保持されている画像を配信するようにした。このような静止画像または極めて短い動画像の保持と配信処理であれば処理負荷は少なく、多数の配信要求があっても上記のような安価な構成で対応可能となり、また配信速度が低下したり画像の鮮明度に問題が生じたりすることはない。
【００１３】
かご上画像送信装置６の送信器６２はエレベーターの繰り返し動作の中の特定期間毎の静止画像または極めて短い動画像を狭域無線通信Ｔで送信し、これをＷＷＷサーバー機能付画像バッファ７３が常に更新しながら一時的に保持する。図４に示すようにエレベーターかご１が着床して時刻Ｔ１で扉２が戸開し乗客が乗り降りし、時刻Ｔ２で扉２が戸閉した後は、時刻Ｔ５で示す次の停止階での戸開までは扉２の開閉はなく、乗客の新たな出入りはない。従って図４の時刻Ｔ２の戸閉完了直後の例えば時刻Ｔ３〜Ｔ４で示す所定期間のビデオカメラ５から得られる新しい画像データを狭域無線通信Ｔで送信し、これをＷＷＷサーバー機能付画像バッファ７３のバッファ機能７３ａで常に前のものを更新するようにして保持してやればよい。上記所定期間は、時刻Ｔ２から始まる時刻Ｔ３〜Ｔ４と同じ長さの所定期間であってもよい。このタイミングは図１に示す扉制御部４からの扉２の開閉タイミングを示す扉開閉信号Ｓで得られる。なお、扉制御部４が戸閉指令を出して扉２が戸閉完了まで約３秒かかる。扉開閉信号Ｓとして戸閉指令を使用する場合にはこのタイムラグを考慮する必要がある。いずれにせよ、扉２の戸閉完了直後の所定期間であればよい。
【００１４】
図２を参照してかご上画像送信装置６および画像蓄積配信装置７の動作を説明する。ビデオカメラ５からのアナログ画像データはかご上画像送信装置６のＨＤＤレコーダー６１に蓄積される一方でこれが分配され、送信器６２は上述の扉制御部４からの扉開閉信号を通信制御信号Ｓとして、例えば図４に示す扉２が閉じた直後の時刻Ｔ３〜Ｔ４の所定期間、毎回、ビデオカメラ５からのアナログ画像データ(ここでは静止画像または極めて短い動画像)を画像蓄積配信装置７の受信器７１に送信する。そしてこれがＡ／Ｄ変換器７２でＡ／Ｄ変換された後、ＷＷＷサーバー機能付画像バッファ７３のバッファ(図３の７３ａ)に、これに既に保持されている前回のものを更新するようにして一時的に保持される。この保持される画像データは扉２が閉じた直後のタイミングで逐次更新されることになる。
【００１５】
これにより、ＷＷＷサーバー機能付画像バッファ７３のＷＷＷサーバー機能７３ｂのＩＰアドレス６３ｂａを知っていれば、ＬＡＮ１０１やインターネット１０９を介してＰＣ１０３、１１１や、携帯電話、無線ＬＡＮ等のためのアクセスポイント１０５、１１３(携帯電話や携帯情報端末等からの意)から画像バッファ７３に画像の配信要求を行えば、これに保持された画像を得ることができる。画像バッファ７３で保持された画像は例えばＨＤＤレコーダー６１に蓄積されているものと比べ極めてデータ容量が小さいため、同時に多数の画像配信要求があっても、高価な構成にすることなく、また配信速度が低下したり画像の鮮明度に問題が生じたりすることなく、配信が行える。
【００１６】
なお、送信器６２の通信のタイミングすなわちＷＷＷサーバー機能付画像バッファ７３の保持内容の更新タイミングは扉２が閉じた直後の所定期間に限定されず、その他の扉２の開閉毎の所定タイミングからの所定期間、あるいはかご上画像送信装置６に図３に示すようにタイマー６４を設け、これに基づき所定周期毎に所定期間、通信を行い、ＷＷＷサーバー機能付画像バッファ７３側に画像データを送信し、保持画像を更新してもよい。但し、所定期間とは静止画像または極めて短い動画像がビデオカメラ５から得られる長さの期間とする。
【００１７】
また上記の説明では、かご上画像送信装置６の送信器６２に扉制御装置４からの扉開閉信号やタイマー６４の出力からなる通信制御信号Ｓを入力して通信のタイミングを制御しているが、図２に波線で示すようにこれらの通信制御信号Ｓを画像蓄積配信装置７の受信器７１に入力して受信側の通信のタイミングを制御するようにしてもよく(画像蓄積配信装置７にタイマー７４を設ける等)、このようにしても同様に周期的に所定期間の間だけ狭域無線通信が行え、常に更新された静止画像または極めて短い動画像を画像バッファ７３に保持して同様に配信することができる。この場合、画像蓄積配信装置７を例えば機械室等に設置すれば通信制御信号Ｓとしての扉開閉信号も容易に得ることができる。
【００１８】
また、ＷＷＷサーバー機能付画像バッファ７３への画像配信要求は、例えばエレベーターのあるビルの管理会社やエレベーターの保守会社のホームページにエレベーター監視カメラの画像情報が得られる検索メニューを付加しておき、これにアクセスして(セキュリティを掛けてもよい)、図５の(ａ)、(ｂ)に示すようなエレベーター監視カメラのメニューでビル名、号機等で絞り込みを行って、所望のエレベーターを指定することによりエレベーターかご内の画像情報が得られるようにしてもよい。
【００１９】
また、上記ＷＷＷサーバー機能付画像バッファ７３は、バッファ(図３のバッファ機能７３ａ)がＬＡＮ等のネットワークからのみ配信要求を受けるものであれば、バッファとこれに保持されている画像データを配信要求に従って配信する接続されたネットワーク用のサーバー機能を含むサーバー機能付画像バッファ(特に図示せず)とすればよい。またバッファから直接、ＰＣや携帯情報端末を接続して画像データを得るようにしてもよい。画像バッファ７３を設けた画像蓄積配信装置７は、かご上画像送信装置６から狭域無線通信可能な位置であればどこでも画像データが受けられるため設置条件の自由度が大きく、ＰＣや携帯情報端末の接続が容易となる。
【００２０】
また、上記説明ではビデオカメラ５から得られるデータがアナログ画像データである場合について説明したが、ビデオカメラ５から得られるデータがディジタル画像データである場合には、図２のＡ／Ｄ変換器６１ａ、７２は不要となり、また狭域無線通信Ｔもこれに適応した方式のものとすればよい。
【産業上の利用可能性】
【００２１】
この発明は、エレベーター用防犯ビデオカメラ画像配信装置のみならず、ビデオカメラから得られる画像データを所定周期毎の所定期間だけ狭域無線通信等で送信してバッファに格納、保持するようにすれば、一般の監視カメラにも適応でき、相当の効果が得られる。
【図面の簡単な説明】
【００２２】
【図１】この発明の一実施の形態によるエレベーター用防犯ビデオカメラ画像配信装置の構成を示した図である。
【図２】この発明の一実施の形態によるエレベーター用防犯ビデオカメラ画像配信装置のかご上画像送信装置および画像蓄積配信装置の内部構成とこれにつながるインターネットとの関係を示した図である。
【図３】図２のＷＷＷサーバー機能付画像バッファの機能構成図である。
【図４】図２の狭域無線通信の通信タイミングの一例を説明するための図である。
【図５】ホームページ上でのエレベーター監視カメラの画像情報が得られる検索メニューの一例を示す図である。
【符号の説明】
【００２３】
１  エレベーターかご、２  扉、３  モーター、４  扉制御装置、５  ビデオカメラ、６  かご上画像送信装置、７  画像蓄積配信装置、６１  ＨＤＤレコーダー、６１ａ，７２  Ａ／Ｄ変換器、６１ｂ  ハードディスクメモリ、６２  送信器、６２ａ，７１ａ  アンテナ、６４，７４  タイマー、７１  受信器、７３  ＷＷＷサーバー機能付画像バッファ、７３ａ  バッファ機能、７３ｂ  ＷＷＷサーバー機能、７３ｂａ  ＩＰアドレス、７３ｂｂ  ＵＲＬ設定、７３ｃ  セキュリティ機能、１０１  ＬＡＮ、１０３，１１１  ＰＣ、１０５，１１３  アクセスポイント、１０７  ルーター、１０９  インターネット、Ｔ  狭域無線通信。
【図１】
2005053626.tif 000003
【図２】
2005053626.tif 000004
【図３】
2005053626.tif 000005
【図４】
2005053626.tif 000006
【図５】
2005053626.tif 000007